(57)【要約】【課題】ビーム集束性の高い高コヒーレントな電子ビームを生成可能なナノスケール光陰極電子源を提供する。【解決手段】ナノスケール光陰極電子源は、レーザ光源１０と、基板２０と、透明電極層３０と、光陰極部４０とからなる。レーザ光源１０は、レーザ光を照射可能なものである。基板２０は、レーザ光源１０からのレーザ光に対して透過性を有するものである。透明電極層３０は、レーザ光源１０からのレーザ光に対して透過性を有する導電性材料からなり、基板２０のレーザ光が照射される側の面と対向する面上に形成され所定の電圧が印加されるものである。光陰極部４０は、透明電極層３０に形成され光電変換材料からなるナノスケールのものである。【選択図】図１
2018077940.tif 000002
【特許請求の範囲】
【請求項１】
高コヒーレントな電子ビームを生成可能なナノスケール光陰極電子源であって、該ナノスケール光陰極電子源は、
レーザ光を照射可能なレーザ光源と、
前記レーザ光源からのレーザ光に対して透過性を有する基板と、
前記レーザ光源からのレーザ光に対して透過性を有する導電性材料からなり、前記基板のレーザ光が照射される側の面と対向する面上に形成され所定の電圧が印加される透明電極層と、
前記透明電極層に形成され光電変換材料からなるナノスケールの光陰極部と、
を具備することを特徴とするナノスケール光陰極電子源。
【請求項２】
請求項１に記載のナノスケール光陰極電子源において、前記光陰極部は、透明電極層のレーザ光が照射される側の面と対向する面内に面一となるように埋め込まれることを特徴とするナノスケール光陰極電子源。
【請求項３】
請求項１又は請求項２に記載のナノスケール光陰極電子源において、前記光陰極部は、直径がナノスケールのドット形状からなることを特徴とするナノスケール光陰極電子源。
【請求項４】
請求項３に記載のナノスケール光陰極電子源において、前記レーザ光源は、光陰極部のドット形状の直径に極力近い照射径を有するように焦点が合わせられるように構成されることを特徴とするナノスケール光陰極電子源。
【請求項５】
請求項１又は請求項２に記載のナノスケール光陰極電子源において、前記光陰極部は、線幅がナノスケールの微細パターンからなることを特徴とするナノスケール光陰極電子源。
【請求項６】
請求項５に記載のナノスケール光陰極電子源において、前記レーザ光源は、光陰極部の微細パターン全体を照射可能な照射エリアを有するように構成されることを特徴とするナノスケール光陰極電子源。
【請求項７】
請求項１乃至請求項６の何れかに記載のナノスケール光陰極電子源であって、さらに、前記レーザ光源からのレーザ光の影響を抑制するために、光陰極部へレーザ光を照射するときと光陰極部を避けて基板と透明電極層を透過するレーザ光を照射するときとの差分を取るノイズ除去部を具備することを特徴とするナノスケール光陰極電子源。
【請求項８】
請求項１乃至請求項７の何れかに記載のナノスケール光陰極電子源において、前記光陰極部は、Ａｕ，Ａｇ，Ｃｕ，ＧａＡｓ，ＣｓＴｅ，ＣｓＫＳｂ，ＮＥＡ−ＧａＡｓの何れかであることを特徴とするナノスケール光陰極電子源。
【請求項９】
請求項１乃至請求項８の何れかに記載のナノスケール光陰極電子源において、前記透明電極層は、ＩＴＯ，ＺｎＯ，ＩＧＺＯの何れかであることを特徴とするナノスケール光陰極電子源。
【発明の詳細な説明】
【技術分野】
【０００１】
本発明は光陰極電子源に関し、特に、高コヒーレントな電子ビームを生成可能なナノスケール光陰極電子源に関する。
【背景技術】
【０００２】
直流型光陰極電子源は、光電効果を用いて陰極から電子を取り出す方式であり、高周波空洞も不要で構造が簡単である。このような光陰極電子源は、加速器や電子顕微鏡等の電子ビームを生成するために用いられるものである。光陰極電子源としては、電子の取り出し方により、レーザトリガ電界電子放出法、背面照射型光電子放出法等が存在する。レーザトリガ電界電子放出法は、尖った針の先端にレーザを照射して電子を放出させるものである。また、背面照射型光電子放出法は、ガラス上に形成した金属薄膜に対して背面方向からレーザを照射して電子を放出させるものである（例えば特許文献１）。
【０００３】
また、例えば特許文献２には、背面照射型光電子放出法のガラス基板と光電変換物質層との間に透明電極層が設けられた光陰極が開示されている。さらに、例えば特許文献３に開示の装置では、量子効率を高めるためにセシウムが被覆された光電子放射材料層とガラス基板との間に透明電極層が設けられている。そして、不要なエリアに設けられたセシウムからの電子ビームの放出を防ぐために、金属コーティング層が光電子放射材料層が設けられる中央領域以外の部分に設けられている。
【０００４】
最先端の電子顕微鏡技術開発では、原子分解能レベルでの単独分子をイメージングすることが求められてきている。特に、新薬デザインや低線量放射線影響評価、単独たんぱく質構造解析等の進展が期待されている。そして、原子分解能レベルでのイメージングを可能とする有力な方法として、ｋｅＶ領域以下の低速コヒーレント電子を用いた電子顕微鏡の研究開発が進められている。
【先行技術文献】
【特許文献】
【０００５】
【特許文献１】特開２００１−１４３６４８号公報
【特許文献２】特開平１１−３２９２１５号公報
【特許文献３】特開平３−１７６９５３号公報
【発明の概要】
【発明が解決しようとする課題】
【０００６】
これらの従来技術は、何れも放出される電子ビームの径が大きいものであった。具体的には、レーザトリガ電界電子放出法では、尖った針の先端が化学エッチングにより形成されるため、エミッタ形状が半球体形状なってしまう。これは、電子ビームが放射状に広がることを招くため、電磁界光学的なレンズ等を用いる必要があった。このため、レンズの球面収差により電子ビームのコヒーレンス性が悪化し、低電圧コヒーレント電子顕微鏡に必要な集束性の高い電子ビームを生成することは困難であった。また、背面照射型光電子放出法や特許文献２の装置では、背面方向から照射するレーザの径を小さくできるため、一般的な前面方向照射に比べて電子ビームの径を小さくすることが可能である。しかしながら、回折限界のためにレーザ光の焦点直径を波長以下にすることはできない。例えば、これまで紫外線から可視光領域では、レーザ光の焦点直径を１μｍ程度とすることが限界であった。
【０００７】
さらに、特許文献３の装置の場合、金属コーティング層により光電子放射材料層の周りを遮蔽する必要がある。このため、光電子放射材料層を小さくして電子ビームの径を小さくしようとした場合には、中央領域がレーザ光の波長以下の径になると、中央領域をレーザ光が通過できなくなり電子ビームが生成されなくなってしまう。したがって、この例でも、電子ビーム径をナノスケールまで小さくすることはできなかった。
【０００８】
本発明は、斯かる実情に鑑み、ビーム集束性の高い高コヒーレントな電子ビームを生成可能なナノスケール光陰極電子源を提供しようとするものである。
【課題を解決するための手段】
【０００９】
上述した本発明の目的を達成するために、本発明によるナノスケール光陰極電子源は、レーザ光を照射可能なレーザ光源と、レーザ光源からのレーザ光に対して透過性を有する基板と、レーザ光源からのレーザ光に対して透過性を有する導電性材料からなり、基板のレーザ光が照射される側の面と対向する面上に形成され所定の電圧が印加される透明電極層と、透明電極層に形成され光電変換材料からなるナノスケールの光陰極部と、を具備するものである。
【００１０】
ここで、光陰極部は、透明電極層のレーザ光が照射される側の面と対向する面内に面一となるように埋め込まれるものであれば良い。
【００１１】
また、光陰極部は、直径がナノスケールのドット形状からなるものであれば良い。
【００１２】
また、レーザ光源は、光陰極部のドット形状の直径に極力近い照射径を有するように焦点が合わせられるように構成されれば良い。
【００１３】
また、光陰極部は、線幅がナノスケールの微細パターンからなるものであっても良い。
【００１４】
この場合、レーザ光源は、光陰極部の微細パターン全体を照射可能な照射エリアを有するように構成されれば良い。
【００１５】
さらに、レーザ光源からのレーザ光の影響を抑制するために、光陰極部へレーザ光を照射するときと光陰極部を避けて基板と透明電極層を透過するレーザ光を照射するときとの差分を取るノイズ除去部を具備するものであっても良い。
【００１６】
また、光陰極部は、Ａｕ，Ａｇ，Ｃｕ，ＧａＡｓ，ＣｓＴｅ，ＣｓＫＳｂ，ＮＥＡ−ＧａＡｓの何れかであれば良い。
【００１７】
また、透明電極層は、ＩＴＯ，ＺｎＯ，ＩＧＺＯの何れかであれば良い。
【発明の効果】
【００１８】
本発明のナノスケール光陰極電子源には、ビーム集束性の高い高コヒーレントな電子ビームを生成可能であるという利点がある。
【図面の簡単な説明】
【００１９】
【図１】図１は、本発明のナノスケール光陰極電子源を説明するための概略図である。
【図２】図２は、本発明のナノスケール光陰極電子源の他の例を説明するための概略側断面図である。
【図３】図３は、本発明のナノスケール光陰極電子源のさらに他の例を説明するための概略側断面図である。
【図４】図４は、本発明のナノスケール光陰極電子源の光陰極部の他の例を説明するための光陰極部周辺の概略平面図である。
【図５】図５は、本発明のナノスケール光陰極電子源の製造方法を説明するための概略側断面図である。
【発明を実施するための形態】
【００２０】
以下、本発明を実施するための形態を図示例と共に説明する。図１は、本発明のナノスケール光陰極電子源を説明するための概略図であり、図１（ａ）が側断面図であり、図１（ｂ）が光陰極部周辺の平面図である。図示の通り、高コヒーレントな電子ビームを生成可能な本発明のナノスケール光陰極電子源は、レーザ光源１０と、基板２０と、透明電極層３０と、光陰極部４０とから主に構成されている。即ち、光陰極は、基板２０と、透明電極層３０と、光陰極部４０とから構成されているものである。
【００２１】
レーザ光源１０は、レーザ光を照射可能なものである。レーザ光源１０は、後述の光陰極部４０にレーザ光を照射することで光陰極部４０から光電子が放出されるようなものであれば良い。レーザ光源１０は、具体的には例えば紫外線レーザ光や緑色レーザ光を出力可能な光源であれば良い。また、レーザ光源１０は、ＣＷレーザ（連続波レーザ）又はパルスレーザ（モード同期法、Ｑスイッチ法等）であれば良い。さらに、レーザ光源１０は、レーザダイオード等により構成しても良い。
【００２２】
基板２０は、レーザ光源１０からのレーザ光に対して透過性を有するものである。即ち、例えばレーザ光源１０のレーザ光が紫外線レーザ光であれば、紫外線に対して透過率の高いものであれば良く、レーザ光が緑色レーザ光であれば、緑色に対して透過率の高いものであれば良い。基板２０は、例えばガラス基板であれば良い。ガラス基板は、例えばサファイアガラスや石英ガラス等であれば良い。
【００２３】
透明電極層３０は、レーザ光源１０からのレーザ光に対して透過性を有する導電性材料からなるものである。即ち、例えばレーザ光源１０のレーザ光が紫外線レーザ光であれば、紫外線に対して透過率の高いものであれば良く、レーザ光が緑色レーザ光であれば、緑色に対して透過率の高いものであれば良い。また、透明電極層３０は、基板２０のレーザ光が照射される側の面と対向する面上形成されるものである。即ち、レーザ光が照射される側の面の裏面上に透明電極層３０が形成される。透明電極層３０は、具体的に一例を挙げると１２５ｎｍの膜厚で基板２０上に形成されれば良い。また、透明電極層３０は、具体的には例えばＩＴＯやＺｎＯ，ＩＧＺＯ等であれば良い。そして、透明電極層３０には、所定の電圧が印加される。
【００２４】
光陰極部４０は、光電変換材料からなるナノスケールのものである。光陰極部４０は、透明電極層３０に形成されている。ここで、ナノスケールとは、電子ビーム放射面となる部分がナノサイズとなるものをいう。例えば、図１（ｂ）に示されるように、光陰極部４０がナノスケールのドット形状からなるものであれば良い。具体的には、光陰極部４０は、直径が３０〜５００ｎｍの円筒形であれば良い。また、厚みは例えば５〜４０ｎｍであれば良い。このように、本発明のナノスケール光陰極電子源で用いられる光陰極部４０の直径は、レーザ波長以下のナノサイズである。なお、光陰極部４０の形状は、必ずしも図示例のような真円の円筒形には限定されず、楕円形状や方形状等、任意の形状であっても良い。光陰極部４０は、例えばＡｕ，Ａｇ，Ｃｕ，ＧａＡｓ，ＣｓＴｅ，ＣｓＫＳｂ，ＮＥＡ−ＧａＡｓ等からなれば良い。そして、図示例のように、光陰極部４０は、透明電極層３０のレーザ光が照射される側の面と対向する面内に面一となるように埋め込まれるように設けられれば良い。即ち、透明電極層３０に光陰極部４０が埋め込まれる溝（穴）が設けられており、光陰極部４０の表面が露出するように溝内に形成されれば良い。これにより、光陰極部４０の側部も透明電極層３０で覆われることから、光陰極部４０の側部からの電子ビームの放出が抑えられ、より高コヒーレントな電子ビームを生成可能となる。
【００２５】
このように構成されたナノスケール光陰極電子源では、レーザ光源１０からのレーザ光の照射径よりも小さい径の光陰極部４０を構成することが可能となる。レーザ光源１０からのレーザ光は、基板２０及び透明電極層３０を透過して光陰極部４０を励起し、電子ビームを放出させる。したがって、光陰極部４０と略同サイズの高コヒーレントな電子ビームが生成可能となる。レーザ光源１０からのレーザ光の照射強度を変調させたり、透明電極層３０に印加する電圧を調整することにより、電子ビーム電流を変調可能である。
【００２６】
ここで、レーザ光源１０は、光陰極部４０のドット形状の直径に極力近い照射径を有するように焦点が合わせられれば良い。但し、レーザ光源１０のレーザ光の径は波長に依存して小さくするのに限界があるため、ナノスケールの光陰極部４０のサイズまで小さくはできない。このため、生成される電子ビームにレーザ光源１０からのレーザ光が含まれる状態で放出されることになる。これについては、電子ビームの用途によって、レーザ光源１０からのレーザ光の影響を抑制する必要がある場合には、レーザ光の成分を除去可能である。即ち、光陰極部４０へレーザ光を照射するときと光陰極部４０を避けて基板２０と透明電極層３０を透過するレーザ光を照射するときとの差分を取るノイズ除去部を設けることで、レーザ光の成分を差し引くことが可能である。
【００２７】
上述の図示例では、光陰極部４０が透明電極層３０に面一となるように埋め込まれる例を示した。しかしながら、本発明はこれに限定されない。図２は、本発明のナノスケール光陰極電子源の他の例を説明するための概略側断面図である。図中、図１と同一の符号を付した部分は同一物を表している。なお、光陰極部周辺のみを図示した。図示の通り、この例では、光陰極部４０は、透明電極層３０の表面上に形成されている。このような構成であっても、透明電極層３０から十分に電子が供給されると共に、従来技術と比べても十分小さい径の電子ビームが生成可能となる。
【００２８】
さらに、光陰極部４０は、基板２０まで達していても良い。図３は、本発明のナノスケール光陰極電子源のさらに他の例を説明するための概略側断面図である。図中、図１と同一の符号を付した部分は同一物を表している。なお、光陰極部周辺のみを図示した。図示の通り、この例では、光陰極部４０は、透明電極層３０を貫通して基板２０の表面上まで到達するように形成されている。このような構成であっても、透明電極層３０から十分に電子が供給されると共に、従来技術と比べても十分小さい径の電子ビームが生成可能となる。
【００２９】
ここで、本発明のナノスケール光陰極電子源は、その光陰極部が図１（ｂ）に示されるようにドット形状に限定されるものではない。図４は、本発明のナノスケール光陰極電子源の光陰極部の他の例を説明するための光陰極部周辺の概略平面図である。図中、図１と同一の符号を付した部分は同一物を表している。図示の通り、この例では、光陰極部４１は、ドット形状ではなく、微細パターンからなるものを示した。この微細パターンの線幅がナノスケールとなっている。なお、図示例のパターンは、あくまでも説明用のパターンであり、このパターンに限定されるものではない。このような微細パターンの光陰極部４１を設けた場合、レーザ光源１０は、微細パターン全体を照射可能な照射エリアを有するように構成されれば良い。
【００３０】
このように構成された本発明のナノスケール光陰極電子源は、ナノスケールの微細パターンからなる光陰極部とすることにより、例えば所定のターゲット基板に対して微細パターンを転写することが可能となる。これにより、ナノスケールの微細パターンを簡単にターゲット基板上に形成可能となる。
【００３１】
次に、本発明のナノスケール光陰極電子源の光陰極部の製造方法の一例について説明する。なお、以下の製造方法はあくまでも一例であり、この製造方法に限定されるものではなく、同様の構造が製造可能であれば、従来の又は今後開発されるべきあらゆる製造方法が適用可能である。
【００３２】
図５は、本発明のナノスケール光陰極電子源の製造方法を説明するための概略側断面図であり、図５（ａ）〜図５（ｇ）は各過程における図である。図中、図１と同一の符号を付した部分は同一物を表している。まず、図５（ａ）に示されるように、基板２０を用意し、研磨、洗浄する。基板２０は、例えばＳｉＯ２である。そして、図５（ｂ）に示されるように、基板２０上に透明電極層３０をスパッタ法により成膜する。透明電極層３０は、例えばＩＴＯである。次に、図５（ｃ）に示されるように、透明電極層３０上をアクリル樹脂層３１でコーティングし、加熱処理を施す。アクリル樹脂層３１は、例えばＰＭＭＡである。また、コーティング処理は、例えば基板２０上にＰＭＭＡを滴下し、スピンコーターを用いて５０００ｒｐｍで３０秒行う。加熱処理は、例えば１８０度で５分行う。そして、図５（ｄ）に示されるように、アクリル樹脂層３１上にアルミニウム層３２をスパッタ法により成膜する。次に、図５（ｅ）に示されるように、集束イオンビームにより穴開けを行う。具体的には、ガリウムイオンによるイオンビームを照射することで、アルミニウム層３２及びアクリル樹脂層３１を貫通し、透明電極層３０まで到達する穴を開ける。図示例では、ドット形状の穴が開けられるものを示した。これは、微細パターンの溝を加工するようにしても良い。集束イオンビームによりナノスケールの微細な穴開け加工が可能となる。また、穴の深さは、後に形成される光陰極部４０の厚みとなるように、透明電極層３０が例えば５〜４０ｎｍ掘り下げられるように調整されれば良い。そして、図５（ｆ）に示されるように、アルミニウム層３２上に、金膜３３をスパッタ法により成膜する。これにより、図５（ｅ）の過程で形成された穴内にも金が満たされる。最後に、図５（ｆ）に示されるように、アクリル樹脂層３１、アルミニウム層３２、金膜３３がリフトオフにより剥離され、透明電極層３０に形成された穴に金からなる光陰極部４０が形成されたナノスケール光陰極電子源が得られる。
【００３３】
なお、本発明のナノスケール光陰極電子源は、上述の図示例にのみ限定されるものではなく、本発明の要旨を逸脱しない範囲内において種々変更を加え得ることは勿論である。
【符号の説明】
【００３４】
１０    レーザ光源
２０    基板
３０    透明電極層
３１    アクリル樹脂層
３２    アルミニウム層
３３    金膜
４０，４１    光陰極部
【図１】
2018077940.tif 000003
【図２】
2018077940.tif 000004
【図３】
2018077940.tif 000005
【図４】
2018077940.tif 000006
【図５】
2018077940.tif 000007